(57)【要約】【課題】  中綿の押圧に起因するインクの流出等を抑制するとともに、中綿組付け時や中綿交換時の作業性を向上する。【解決手段】  軸筒１０と、軸筒１０の前端側に装着されて前方へ露出した筆記体２０と、軸筒１０の後端部に装着された略筒状の尾栓３０と、軸筒１０内から尾栓３０内にわたって収容された長尺柱状の中綿４０とを備え、中綿４０に含浸されたインクを筆記体２０へ導くようにした中綿式筆記具において、尾栓３０又は軸筒１０の内周面には、軸方向に挿入される中綿４０の外周面に接触して該中綿４０を保持する中綿保持突起３３が設けられ、中綿保持突起３３は、中綿４０の外周面との接触面積を、前記尾栓又は前記軸筒に対し中綿が挿入される方向へ増大している。【選択図】  図９
2015006760.tif 000002
【特許請求の範囲】
【請求項１】
軸筒と、前記軸筒の前端側に装着されて前方へ露出した筆記体と、前記軸筒の後端部に装着された略筒状の尾栓と、前記軸筒内から前記尾栓内にわたって収容された長尺柱状の中綿とを備え、前記中綿に含浸されたインクを前記筆記体へ導くようにした中綿式筆記具において、
前記尾栓又は前記軸筒の内周面には、軸方向に挿入される前記中綿の外周面に接触して該中綿を保持する中綿保持突起が設けられ、
前記中綿保持突起は、前記中綿の外周面との接触面積を、前記尾栓又は前記軸筒に対し中綿が挿入される方向へ増大していることを特徴とする中綿交換式筆記具。
【請求項２】
前記中綿保持突起の径内方向の突端面を、中綿外周面にならう曲面状に形成したことを特徴とする請求項１記載の中綿式筆記具。
【請求項３】
前記尾栓内又は前記軸筒内における前記中綿保持突起よりも奥側に、軸筒軸方向へ延びるとともに前記中綿保持突起よりも径内方向側へ突出する板状の受片部を設け、該受片部の端部によって前記中綿の端面を受けるようにしたことを特徴とする請求項１又は２記載の中綿式筆記具。
【請求項４】
前記尾栓を前記軸筒に対し軸方向へ着脱するように設けるとともに、前記尾栓の内周面に前記中綿保持突起を設け、前記尾栓側の前記中綿に対する保持力を、前記軸筒側の同中綿に対する保持力よりも大きくしたことを特徴とする請求項１乃至３何れか１項記載の中綿式筆記具。
【発明の詳細な説明】
【技術分野】
【０００１】
本発明は、インクを含浸した中綿を有するサインペンやマーキングペン等の中綿式筆記具に関し、特に中綿の交換が可能な構造として好適な中綿式筆記具に関するものである。
【背景技術】
【０００２】
従来、この種の発明には、例えば特許文献１に記載されるもののように、軸筒（１）と、軸筒（１）の前端側に装着されて前方へ露出した筆記体（ペン体３，４）と、軸筒（１）の後端部に装着された略筒状の尾栓（後軸筒２０）と、軸筒（１）内から尾栓（２０）内にわたって収容された長尺柱状の中綿（２）と、を備え、中綿（２）に含浸されたインクを前記筆記体（３，４）へ導くようにしたものがある。
この従来技術によれば、軸筒（１）内には、中綿（２）の外周面に嵌合する薄肉リブ状の複数の中綿嵌合突起（１０ａ，２０ａ）が設けられ、これら複数の中綿嵌合突起（１０ａ，２０ａ）を前記中綿（２）の端部側に圧接させるようにしている。
【０００３】
しかしながら、上記従来技術では、軸筒軸方向において略同じ厚みで延設された薄肉リブ状の各中綿嵌合突起（１０ａ，２０ａ）を、前記中綿（２）の端部側に、局部的に圧接するようにしているため、落下衝撃や振動等を受けた場合等に、中綿が過剰に押圧されて中綿内のインクが外部に流出して、中綿外周の被覆面に付着したり、尾栓内の底部に溜まったりするおそれがある。
また、中綿組付けや中綿交換等のために軸筒（１）又は尾栓（後軸筒２０）に対し中綿（２）を挿入する際、中綿（２）の端部側が急激且つ局部的に圧縮されるため、これによって中綿（２）内のインクが流出したり、中綿（２）の組付け作業性が低下したりする可能性もある。
【先行技術文献】
【特許文献】
【０００４】
【特許文献１】特許第４５２２５５９号公報
【発明の概要】
【発明が解決しようとする課題】
【０００５】
本発明は上記従来事情に鑑みてなされたものであり、その課題とする処は、中綿の押圧に起因するインクの流出等を抑制するとともに、中綿組付け時や中綿交換時の作業性を向上することができる中綿式筆記具を提供することにある。
【課題を解決するための手段】
【０００６】
上記課題を解決するための一手段は、軸筒と、前記軸筒の前端側に装着されて前方へ露出した筆記体と、前記軸筒の後端部に装着された略筒状の尾栓と、前記軸筒内から前記尾栓内にわたって収容された長尺柱状の中綿とを備え、前記中綿に含浸されたインクを前記筆記体へ導くようにした中綿式筆記具において、前記尾栓又は前記軸筒の内周面には、軸方向に挿入される前記中綿の外周面に接触して該中綿を保持する中綿保持突起が設けられ、前記中綿保持突起は、前記中綿の外周面との接触面積を、前記尾栓又は前記軸筒に対し中綿が挿入される方向へ増大していることを特徴とする。
【発明の効果】
【０００７】
本発明は、以上説明したように構成されているので、中綿の押圧に起因するインクの流出等を抑制するとともに、中綿組付け時や中綿交換時の作業性を向上することができる。
【図面の簡単な説明】
【０００８】
【図１】本発明に係る中綿式筆記具の一例を示す斜視図である。
【図２】同中綿式筆記具の全断面図である。
【図３】軸筒の一例を示す全断面図である。
【図４】尾栓の一例を示す斜視図である。
【図５】同尾栓を側方側から視た図である。
【図６】同尾栓を後方側から視た図である。
【図７】同尾栓を前方側から視た図である。
【図８】図７の(VIII)‐(VIII)線断面図である。
【図９】図７の(IX)‐(IX)線断面図である。
【図１０】同中綿式筆記具において、尾栓及び中綿を外した状態を示す全断面図である。
【発明を実施するための形態】
【０００９】
本実施の形態の第一の特徴は、軸筒と、前記軸筒の前端側に装着されて前方へ露出した筆記体と、前記軸筒の後端部に装着された略筒状の尾栓と、前記軸筒内から前記尾栓内にわたって収容された長尺柱状の中綿とを備え、前記中綿に含浸されたインクを前記筆記体へ導くようにした中綿式筆記具において、前記尾栓又は前記軸筒の内周面には、軸方向に挿入される前記中綿の外周面に接触して該中綿を保持する中綿保持突起が設けられ、前記中綿保持突起は、前記中綿の外周面との接触面積を、前記尾栓又は前記軸筒に対し中綿が挿入される方向へ増大している。
ここで、前記「尾栓」には、筆記体を具備しない有底筒状の尾栓や、筆記体を装着した尾栓等を含む。
前記構成によれば、中綿保持突起における中綿外周面との接触面積が、中綿が挿入される方向へ増大しているため、中綿を尾栓又は軸筒に挿入する際に、その挿入抵抗が徐々に大きくなる。また、中綿挿入後は、中綿保持突起と中綿外周面の接触面の摩擦等により中綿が抜け難くなって保持される。
よって、例えば、肉厚が一定のリブ等により中綿の外周面を局部的に押圧して中綿を保持するようにした従来技術等に比べ、中綿の端部側の変形や、該変形に起因するインクの流出等を抑制するとともに、中綿組付け時や中綿交換時の作業性を向上することができる。
【００１０】
第二の特徴としては、前記中綿保持突起の径内方向の突端面を、中綿外周面にならう曲面状に形成した。
この構成によれば、中綿保持突起における中綿外周面との接触面積をより大きくし、この接触面の摩擦等により、中綿をより抜け難くすることができる。
【００１１】
第三の特徴は、前記尾栓内又は前記軸筒内における前記中綿保持突起よりも奥側に、軸筒軸方向へ延びるとともに前記中綿保持突起よりも径内方向側へ突出する板状の受片部を設け、該受片部の端部によって前記中綿の端面を受けるようにしたことを特徴とする。
この構成によれば、受片部の隣接する空間を、インクの吐出に伴って中綿内に空気を取り込むための空間として用いたり、落下や振動等により流出したインクを一時的に貯溜するための空間として用いることができる。
【００１２】
第四の特徴は、前記尾栓を前記軸筒に対し軸方向へ着脱するように設けるとともに、前記尾栓の内周面に前記中綿保持突起を設け、前記尾栓側の前記中綿に対する保持力を、前記軸筒側の同中綿に対する保持力よりも大きくした。
この構成によれば、軸筒から尾栓を外せば、尾栓といっしょに中綿を外すことができ、例えば、中綿を手で摘ままなくても外すことができる。
【００１３】
また、より好ましい構成としては、前記中綿保持突起を周方向に間隔を置いて複数設けるとともに、これら複数の中綿保持突起の突端内径を、前記中綿の外径よりも小さくする。
この構成によれば、中綿に対する中綿保持突起による保持力を、より向上することができる。
【００１４】
さらに、好ましい構成としては、前記中綿保持突起における中綿挿入方向と逆方向の端部側に、面取り部を設ける。
この構成としては、中綿を尾栓又は軸筒に挿入する際の挿入抵抗を軽減して、中綿組付け時や中綿交換時の作業性を向上することができる。
【実施例】
【００１５】
次に、上記特徴を有する好ましい実施例を、図面に基づいて詳細に説明する。
なお、以下の説明中、軸筒軸方向とは、軸筒の中心線の延びる方向を意味する。また、「前」とは、軸筒軸方向の一方側であって筆記体の突出する方向を意味する。また、「後」とは、軸筒軸方向の前記一方側に対する逆方向側を意味する。また、「軸筒径方向」とは、軸筒軸方向に対し直交する方向を意味する。また、「軸筒径外方向」とは、軸筒径方向に沿って軸筒中心から離れる方向を意味する。「軸筒径内方向」とは、軸筒径方向に沿って軸筒中心へ近づく方向を意味する。
【００１６】
この中綿式筆記具は、図１及び図２に示すように、軸筒１０と、軸筒１０の前端側に装着されて前方へ露出した筆記体２０と、軸筒１０の後端部に着脱可能に装着された略有底筒状の尾栓３０と、軸筒１０内から尾栓３０内にわたって収容された長尺円柱状の中綿４０と、筆記体２０を覆うようにして軸筒１０の前端側に着脱可能に装着されたキャップ５０とを備え、中綿４０に含浸されたインクを筆記体２０へ導くように構成されている。
【００１７】
軸筒１０は、前端側の先細状の先口部１１と、該先口部１１の後方に延設された長尺円筒形の筒状本体部１２とからなる。
【００１８】
先口部１１の前端側の内周面には、周方向に間隔を置いて複数の縦突条１１ａが設けられる。これら縦突条１１ａは、軸筒径内方向の突端により筆記体２０の外周面を保持している（図２参照）。また、周方向に隣り合う縦突条１１ａ，１１ａ間の空間を、軸筒１０内外の通気性を確保する通気路として機能する。
【００１９】
また、先口部１１内における縦突条１１ａよりも後側には、中綿４０の前端を受けるように、受片部１１ｂが周方向に間隔を置いて複数設けられる。
これら受片部１１ｂは、先口部１１の後半部よりの内周面から径内方向へ突出する突片状の部材であり、筆記体２０の外周面に近接している。すなわち、各受片部１１ｂと筆記体２０の外周面との間には、隙間が設けられる。
そして、周方向に隣り合う受片部１１ｂ，１１ｂの間の空間は、落下衝撃等で中綿４０内のインクが急激に吐出した場合に、該インクを一時的に貯溜するインク貯溜部１１ｃとして機能する。
【００２０】
筒状本体部１２内の先口部１１寄りには、中綿４０を軸心方向へ押圧して保持する縦長の中綿嵌合突起１２ａが、周方向に複数配置されている（図２及び図３参照）。
各中綿嵌合突起１２ａは、軸方向へ長尺な平板状に形成され、その前端部を受片部１１ｂ後端に接続している。この中綿嵌合突起１２ａの後端側には、中綿４０をスムーズに前方へ導くように、凸曲面状の面取り部１２ａ１が形成される。
なお、面取り部１２ａ１の他例としては、傾斜する平坦面状に形成することも可能である。
【００２１】
また、筒状本体部１２内の後端寄りには、尾栓３０を螺合接続するための雌ネジ部１２ｂや、該雌ネジ部１２ｂよりも前側で尾栓３０に圧接されて軸筒１０後端側を密閉する環状凸部１２ｃ等が設けられる（図３参照）。
【００２２】
筆記体２０は、その後端部が中綿４０の前端部に圧入され（図２参照）、中綿４０に含浸されたインクを毛細管力によって前方へ導く構成であればよく、例えば、多孔質樹脂からなる略軸状、あるいは多数の合成繊維を収束してなる略軸状に形成される。
なお、この筆記体２０は、図２に示す一例によれば、筆記体２０前端側の露出部分を砲弾状に形成しているが、他例としては、斜めカットされた楔状等とすることも可能である。
【００２３】
尾栓３０は、軸筒１０の後端開口部に着脱可能に装着される有底筒状の部材である。この尾栓３０外周面の前側には、軸筒１０内における後端側の雌ネジ部１２ｂに螺合可能な雄ネジ部３１が形成され、該雄ネジ部３１の後側には、軸筒１０後端面に当接される環状のフランジ部３２が形成される。このフランジ部３２周囲には、当該中綿式筆記具の転がり防止や、尾栓３０を外す際の滑り止めとして機能する突起３２ａが、周方向に間隔を置いて複数設けられる。
【００２４】
また、尾栓３０内周面の前側には、中綿４０の外周面に接触して該中綿４０を保持する中綿保持突起３３（図７〜図９参照）が複数設けられ、尾栓３０内周面における中綿保持突起３３よりも奥側には、中綿４０の後端面を受ける受片部３４が複数設けられる。
【００２５】
各中綿保持突起３３は、その径内方向の突端面を、中綿４０の外周面にならう曲面状又は平坦面状（図７に示す好ましい一例によれば、曲面状）に形成するとともに、中綿４０に接触する前記突端面の接触面積を、尾栓３０に対し中綿４０が挿入される方向（以降、中綿挿入方向と称する）へ増大する平面視略Ｖ字状に形成している（図９参照）。
【００２６】
また、中綿保持突起３３の前端側には、挿入される中綿４０を抵抗なくスムーズに導き入れるように、凸曲面状の面取り部３３ａが設けられる。
そして、この中綿保持突起３３は、軸筒周方向に所定間隔を置いて複数設けられ、これら複数の中綿保持突起３３の突端内径ａ（詳細には、図８に示すように、面取り部３３ａよりも後側の部分の内径）は、中綿４０の外径よりも若干小さい径に設定される。
前記内径ａは、より詳細に説明すれば、僅かずつではあるが、尾栓３０内奥側（図８によれば右側）へ向かって徐々に小さくなっている。すなわち、各中綿保持突起３３の径内方向の高さが、前記奥側へ向かって徐々に高くなっている。
【００２７】
また、図示例によれば、前記内径ａは、軸筒１０側の複数の中綿嵌合突起１２ａにおける径内方向突端の内径よりも、若干小さく設定されている。
すなわち、尾栓３０側の中綿保持突起３３による中綿４０に対する保持力は、軸筒１０側の同中綿４０に対する保持力よりも大きくなっている。
【００２８】
また、受片部３４は、中綿保持突起３３の奥側で、中綿保持突起３３後端から後方へ延びるとともに中綿保持突起３３よりも径内方向側へ突出するように設けられる。この受片部３４は、複数の中綿保持突起３３と同間隔にて、周方向に所定間隔を置いて複数設けられる。
そして、複数の受片部３４の前端部は、中綿４０の後端面を受ける。また、周方向に、隣り合う受片部３４，３４の間の空間ｓは、中綿４０内のインクの消耗に伴って該中綿４０内へ空気を供給する通気路として機能し、さらに、落下衝撃等で中綿４０内のインクが急激に後方へ流出した場合には、該インクを一時的に貯溜するインク貯溜部としても機能する。
【００２９】
なお、前記通気路は、詳細に説明すれば、軸筒１０前端側の縦突条１１ａ，１１ａ間、受片部１１ｂ，１１ｂ間、中綿嵌合突起１２ａ，１２ａ間、筒状本体部１２内周面と中綿４０外周面との隙間、尾栓３０内周面と中綿４０外周面との隙間、尾栓３０内の受片部３４，３４間の空間ｓ等からなる連続する通路である。また、前記通気路は、前述したように中綿４０の後端面に連通しているが、同中綿４０の前端面にも連通している。
【００３０】
中綿４０は、多数の合成繊維を合成樹脂製の薄肉な筒体内に収納し、その内部にインクを含浸させることで構成されている。
【００３１】
また、キャップ５０は、図２に示すように、二重筒状のキャップ本体部５１と、該キャップ本体部５１における内キャップ５１ａと外キャップ５１ｂの間への筆記体２０の挿入を阻む略円錐状の挿入阻止部５２とから一体的に構成され、先口部１１に、着脱可能に嵌め合せられている。
【００３２】
次に、上記構成の中綿式筆記具について、その作用効果を詳細に説明する。
上記中綿式筆記具の製造等のために、尾栓３０に対し中綿４０の後端部を挿入すると、中綿４０は、複数の中綿保持突起３３の面取り部３３ａに導かれて、これら中綿保持突起３３内をスムーズに後方へ進み、各中綿保持突起３３との接触面積を徐々に増大するとともに、その挿入抵抗が徐々に大きくなり、該中綿４０の後端面が、尾栓３０内の複数の受片部３４の前端面に当接する。この状態において、中綿４０は、複数の中綿保持突起３３との摩擦等によって、脱落しないように尾栓３０内に保持される。
【００３３】
したがって、インクの消耗に伴い中綿交換が行われる際には、図１０に示すように、軸筒１０から尾栓３０を外せば、尾栓３０と一体的に中綿４０を引き抜くことができ、中綿４０を手で摘ままなくても外すことが可能である。
【００３４】
前記保持状態においては、各中綿保持突起３３の径内方向の突端と中綿４０外周面とが、後方へ向かってＶ字状に接触面積を増大しているため、中綿４０外周面に対する押圧変形が比較的小さい状態であっても、十分な保持力を得ることができる。
しかも、略Ｖ字状の中綿保持突起３３により中綿４０外周面に対する局部的且つ急激な押圧変形を抑制するようにしているため、該変形に起因するインクの流出等を抑制できる上、中綿４０を尾栓３０に組み付ける際の作業性も良好である。
【００３５】
また、筆記中は、尾栓３０内の隣り合う中綿保持突起３３，３３間の空間ｓが、空気交換用の通気路として作用するため、インクの吐出をスムーズに行うことができる。しかも、万が一、落下や振動等により中綿４０後端からインクが急激に流出した場合にも、そのインクを前記空間ｓに一時的に貯溜することができる。
【００３６】
なお、上記実施例によれば、尾栓３０を有底筒状に形成したが、他例としては、尾栓３０の中心側に、上記筆記体２０以外の筆記体を挿通保持するとともに該筆記体の軸筒１０内側の端部を中綿４０端部に圧入して、両頭式の筆記具を構成することも可能である。
【００３７】
また、上記実施例によれば、軸筒１０内側の中綿嵌合突起１２ａと、尾栓３０内側の中綿保持突起３３とのうち、後者のみを中綿挿入方向へ接触面積が増大する構成としたが、他例としては、その両者を中綿挿入方向へ接触面積が増大する構成とすることも可能である。
【００３８】
また、上記実施例によれば、中綿挿入方向へ向かう略Ｖ字状の中綿保持突起３３により該中綿保持突起３３と中綿４０との接触面積を大きくしたが、他例としては、中綿挿入方向へ段付き状に面積が大きくなる中綿保持突起（図示せず）や、中綿挿入方向へラッパ状に面積が大きくなる中綿保持突起（図示せず）等を構成することも可能である。
【符号の説明】
【００３９】
１０：軸筒
２０：筆記体
３０：尾栓
３３：中綿保持突起
３４：受片部
４０：中綿
５０：キャップ
【図１】
2015006760.tif 000003
【図２】
2015006760.tif 000004
【図３】
2015006760.tif 000005
【図４】
2015006760.tif 000006
【図５】
2015006760.tif 000007
【図６】
2015006760.tif 000008
【図７】
2015006760.tif 000009
【図８】
2015006760.tif 000010
【図９】
2015006760.tif 000011
【図１０】
2015006760.tif 000012